(57)【要約】【課題】物干し竿に対するハンガー吊り具の良好な着脱性を損なうことなく、多数の衣類等を１箇所でまとめて乾かすことができるハンガー吊り具を提供する。【解決手段】本考案のハンガー吊り具１は、洗濯後の衣類Ａ等をハンガーＨに掛けた状態で物干し竿Ｂに吊す場合に使用される家庭用のハンガー吊り具であって、物干し竿Ｂの外周を包むように装着され、装着された姿勢が円筒形状の装着部３と、上記装着部３と一体に形成され、ハンガーＨを吊すための係止穴５を複数備えた係止部７とを具備し、上記装着部３の両端に、隣接して配置される他のハンガー吊り具１と連結するための連結構造９を設けることによって構成されている。【選択図】  図２
0003186512.tif 000002
【実用新案登録請求の範囲】
【請求項１】
物干し竿の外周を包むように装着され、装着された姿勢が円筒形状の装着部と、上記装着部と一体に形成され、ハンガーを吊すための係止穴を複数備えた係止部とを具備し、上記装着部は、長手方向の少なくとも１箇所をヒンジ部で接続した半円筒形状の２つの保持片を備えることによって構成されており、上記２つの保持片の自由端辺またはその近傍には、離間状態の対向する自由端辺を当接ないし接近状態にして保持する係合構造が設けられており、上記装着部の両端には、隣接して配置される他のハンガー吊り具と連結するための連結構造が設けられていることを特徴とするハンガー吊り具。
【請求項２】
上記連結構造は、上記装着部の一端の外周を半径方向外方に張り出させた外フランジ部と、上記装着部の他端に設けられ、隣接して配置される他のハンガー吊り具の上記外フランジ部を受け入れる環状凹部と、を備えることによって構成されていることを特徴とする請求項１記載のハンガー吊り具。
【請求項３】
上記連結構造には、連結したハンガー吊り具の円周方向の回転を規制する回転規制手段が設けられていることを特徴とする請求項１または２記載のハンガー吊り具。
【請求項４】
上記保持片の一方または双方には窓部が設けられていることを特徴とする請求項１〜３のいずれかに記載のハンガー吊り具。
【考案の詳細な説明】
【技術分野】
【０００１】
本考案は、洗濯後の衣類等をハンガーに掛けた状態で物干し竿に吊す場合に使用されるハンガー吊り具に係り、特に、多数の衣類をまとめて乾したい場合に複数のハンガー吊り具を連結して取り付けることができるものに関する。
【背景技術】
【０００２】
従来から洗濯後の衣類等をハンガーに掛けた状態で物干し竿に吊して乾かすことが行われている。このような場合、風にあおられた衣類等がハンガーごと物干し竿の長手方向に横滑りして隣り合う他の衣類等に張り付いてしまったり、十分な間隔が保てなくなって乾燥に時間がかかったり、乾きむらができてしまったりする。
【０００３】
下記の特許文献１に示すハンガー吊持具は、隣り合うハンガーが横滑りすることによって生ずる上記不具合を防止するものであって、物干し竿を外側から包むようにつかむ円筒状をした開閉式の着脱嵌合部と、該着脱嵌合部と一体に設けられ、ハンガーのフック部を係止させて吊り下げるための複数の吊持孔を等間隔に形成した吊持孔形成部材とを備える構造になっている。
そして、このようなハンガー吊持具を使用した場合には、ハンガーの長手方向の位置は上記吊持孔によって規制されるため、風に衣類等があおられても上述した隣り合う衣類等の密着や接近が生じない。
【先行技術文献】
【特許文献】
【０００４】
【特許文献１】特開平１０−２３５０８４号公報
【考案の概要】
【考案が解決しようとする課題】
【０００５】
一本の物干し竿に多数の衣類等をハンガーにより吊して乾かしたい場合は、複数のハンガー吊持具を取り付けることが行われれているが、上記特許文献１に示すハンガー吊持具では、物干し竿に対するハンガー吊持具の固定をハンガー吊持具の着脱嵌合部に設けた舌片状をした固定用押圧片による押圧力のみによって行っていたため必ずしも十分な押圧力が得られていなかった。
そのため、物干し竿に複数のハンガー吊持具を取り付けた場合には、衣類等が風にあおられたり物が当たったりした時、ハンガー吊持具が横滑りして勝手に動いてしまい、１箇所でまとめて乾かすことができないという問題があった。
【０００６】
本考案はこのような点に基づいてなされたものでその目的とするところは、物干し竿に対するハンガー吊り具の良好な着脱性を損なうことなく、多数の衣類等を１箇所でまとめて乾かすことができるハンガー吊り具を提供することにある。
【課題を解決するための手段】
【０００７】
上記目的を達成するべく本考案の請求項１によるハンガー吊り具は、物干し竿の外周を包むように装着され、装着された姿勢が円筒形状の装着部と、上記装着部と一体に形成され、ハンガーを吊すための係止穴を複数備えた係止部とを具備し、上記装着部は、長手方向の少なくとも１箇所をヒンジ部で接続した半円筒形状の２つの保持片を備えることによって構成されており、上記２つの保持片の自由端辺またはその近傍には、離間状態の対向する自由端辺を当接ないし接近状態にして保持する係合構造が設けられており、上記装着部の両端には、隣接して配置される他のハンガー吊り具と連結するための連結構造が設けられていることを特徴とするものである。
【０００８】
また、請求項２によるハンガー吊り具は、請求項１記載のハンガー吊り具において、上記連結構造は、上記装着部の一端の外周を半径方向外方に張り出させた外フランジ部と、上記装着部の他端に設けられ、隣接して配置される他のハンガー吊り具の上記外フランジ部を受け入れる環状凹部と、を備えることによって構成されていることを特徴とするものである。
【０００９】
また、請求項３によるハンガー吊り具は、請求項１または２記載のハンガー吊り具において、上記連結構造には、連結したハンガー吊り具の円周方向の回転を規制する回転規制手段が設けられていることを特徴とするものである。
【００１０】
また、請求項４によるハンガー吊り具は、請求項１〜３のいずれかに記載のハンガー吊り具において、上記保持片の一方または双方には窓部が設けられていることを特徴とするものである。
【考案の効果】
【００１１】
まず、本考案のハンガー吊り具によると、装着部の両端には、隣接して配置される他のハンガー吊り具と連結するための連結構造が設けられているから、複数のハンガー吊り具を物干し竿の長手方向に沿って直列的に連結することが可能になる。
これに伴ない、複数のハンガー吊り具同士が一体に固定されるから、多数の衣類等を１箇所にまとめて乾かすことが可能となる。また、隣り合うハンガーの位置は係止穴によって規制されているから、ハンガー吊り具間でのハンガーの間隔も一定に保つことができる。
【００１２】
また、上記装着部を、長手方向の少なくとも１箇所をヒンジ部で接続した半円筒形状の２つの保持片を備えることによって構成し、上記２つの保持片の自由端辺またはその近傍に、離間状態の対向する自由端辺を当接ないし接近状態にして保持する係合構造を設けたから部品点数が少なく、構造が簡単で安価なハンガー吊り具を提供できる。
【００１３】
また、上記連結構造を、装着部の一端の外周を半径方向外方に張り出させた外フランジ部と、装着部の他端に設けられ、隣接して配置される他のハンガー吊り具の外フランジ部を受け入れる環状凹部と、を備えることによって構成した場合には、構造が簡単で連結力が強く、ハンガー吊り具同士の一体的固定性能の高い連結構造が提供できる。
【００１４】
また、上記連結構造に対して、連結したハンガー吊り具の円周方向に回転を規制する回転規制手段を設けた場合には、連結したハンガー吊り具は、物干し竿の長手方向に個々に移動できないだけでなく、物干し竿の円周方向にも回転できなくなるから、ハンガー吊り具ごと吊下げ角度が違って吊下げ姿勢にばら付きが生じるのを防止することができる。
【００１５】
また、上記保持片の一方または双方には窓部を設けた場合には、ハンガーを掛けたままの状態でハンガー吊り具を物干し竿から外した場合、窓部が取っ手となるので持ち運ぶのに便利であり、俄雨等で速やかに取り入れなければならないような場合に一気に取り入れることができ、また、乾燥した洗濯物を取り入れる場合に、窓部に手を入れてハンガー吊り具を持ってそのまま取り入れると、皺がよるのを防止することができる。
【図面の簡単な説明】
【００１６】
【図１】本考案の実施の形態を示す図で、ハンガー吊り具の使用状態を示す斜視図である。
【図２】本考案の実施の形態を示す図で、ハンガー吊り具の使用状態を示す正面図である。
【図３】本考案の実施の形態を示す図で、ハンガー吊り具の使用状態を示す平面図である。
【図４】本考案の実施の形態を示す図で、図２中のＡ−Ａ断面図である。
【図５】本考案の実施の形態を示す図で、図２中のＢ−Ｂ断面図である。
【図６】本考案の実施の形態を示す図で、図２中のＣ−Ｃ断面図である。
【図７】本考案の実施の形態を示す図で、図２中のＤ−Ｄ断面図である。
【図８】本考案の実施の形態を示す図で、ハンガー吊り具の２つの保持片を拡開した状態を示す正面図である。
【図９】本考案の実施の形態を示す図で、ハンガー吊り具の２つの保持片を拡開した状態を示す側面図である。
【図１０】本考案の実施の形態を示す図で、ハンガー吊り具を物干し竿に装着する前（ａ）後（ｂ）の状態を示す斜視図である。
【図１１】本考案の他の実施の形態を示す図で、ヒンジ部の構成を異らせたハンガー吊り具を示す分解斜視図である。
【図１２】本考案の他の実施の形態を示す図で、連結構造の構成を異らせたハンガー吊り具を示す斜視図である。
【考案を実施するための形態】
【００１７】
以下、図１〜図１０に示す実施の形態を例にとって、本考案のハンガー吊り具の構成と使用態様について具体的に説明する。
本考案のハンガー吊り具１は、洗濯後の衣類Ａ等をハンガーＨに掛けた状態で物干し竿Ｂに吊す場合に使用される家庭用のハンガー吊り具であって、複数のハンガー吊り具を物干し竿の長手方向に沿って直列的に連結することができる構成になっている。
【００１８】
具体的には、物干し竿Ｂの外周を包むように装着され、装着された姿勢が円筒形状をした装着部３と、該装着部３と一体に形成され、ハンガーＨを吊すための係止穴５を複数備えた係止部７とを具備し、上記装着部３の両端に隣接して配置される他のハンガー吊り具１と連結するための連結構造９が設けられていることによって本考案のハンガー吊り具１は構成されている。
【００１９】
このうち、装着部３は、一例としてポリプロピレンやポリエチレン等の合成樹脂材料によって形成されており、長手方向Ｙの両端部付近をヒンジ部１１、１１で接続した半円筒形状の２つの保持片１３、１５を備えることによって構成されている。そして、上記２つの保持片１３、１５の自由端辺１３ａ、１５ａまたはその近傍には、離間状態の対向する自由端辺１３ａ、１５ａを当接状態にして保持する係合構造１７が設けられている。
【００２０】
一方の保持片１３の自由端辺１３ａには、長手方向Ｙの全長に亘って板状をした上述した係止部７が延長形成されており、該係止部７には、一例として長穴形状をした５つの係止穴５が長手方向Ｙに対して等間隔に配置されている。
他方の保持片１５の基端縁側の中央部には凹陥状にえぐられた窓部１９が形成されており、本考案のハンガー吊り具１を物干し竿Ｂに装着した状態で該窓部１９から物干し竿Ｂの一部が覗くように構成されている。また、窓部１９はハンガーを掛けたままの状態でハンガー吊り具を物干し竿から外した場合、取っ手として機能する。
【００２１】
他方の保持片１５の自由端辺１５ａの左右両端寄りの位置には、対向する一方の保持片１３の自由端辺１３ａに向けて突出する先端が鉤状をした係合フック２１、２１が設けられている。
一方、上述した係止部７には、上記係合フック２１、２１の位置に対応した係合位置に一例として下端側のコーナ部が丸く加工された角穴状の係合穴２３、２３が形成されている。
【００２２】
ヒンジ部１１は、一例として図８に示すように上記他方の保持片１５の基端縁側の中央部に形成された窓部１９と上記装着部３の長手方向Ｙの両端部との間に１つずつ設けられており、装着部３を構成する他の部位よりも肉薄に形成されていて、撓み変形が可能になっている。
【００２３】
連結構造９は、上記装着部３の一端の外周を半径方向外方に張り出させた外フランジ部２５と、上記装着部３の他端に設けられ、隣接して配置される他のハンガー吊り具１の上記外フランジ部２５を受け入れる環状凹部２７と、を備えることによって構成されている。
【００２４】
また、上記外フランジ部２５と環状凹部２７は、図９に示すように２つの保持片１３、１５に対して二分割された状態で設けられていて、各保持片１３、１５のそれぞれに対しては半円環状に形成されており、両者の自由端辺１３ａ、１５ａを当接ないし接近させた装着状態では、図４及び図５に示すように二組の外フランジ部２５と環状凹部２７が組み合わさって全体として円環状になるように構成されている。
【００２５】
また、上記環状凹部２７の底部２９の内周径は上記外フランジ部２５の外周径よりも幾分大きめに形成されており、一方、上記環状凹部２７の底部２９を挟んだ内方の側壁部３１と外方の側壁部３３の内周径は上記外フランジ部２５の外周径よりも小さくなるように形成されている。
したがって、このような大きさの環状凹部２７と外フランジ部２５を連結させることによって、連結された複数のハンガー吊り具１が一体的に固定されるように構成されている。
【００２６】
次に、このようにして構成される本考案のハンガー吊り具１の使用態様を（１）装着時と、（２）連結時と、（３）吊下げ時と、（４）取外し時の４段階に分けて説明する。
（１）装着時（図１０（ａ）（ｂ）参照）
本考案のハンガー吊り具１を物干し竿Ｂに装着する場合には、図１０（ａ）に示すように他方の保持片１５の自由端辺１５ａに設けられている２つの係合フック２１、２１と、係止部７に形成されている２つの係合穴２３、２３との係合を解除して対向する２つの保持片１３、１５の自由端辺１３ａ、１５ａ、を離間させた状態にする。
【００２７】
次に、上記ハンガー吊り具１を自由端辺１３ａ、１５ａを下にした状態で物干し竿Ｂの上方に位置させ、物干し竿Ｂに沿わせた水平姿勢にして、そのまま物干し竿Ｂに当接するまで下方に移動させる。
そして、離間状態の自由端辺１３ａ、１５ａを接近させて行き、係合フック２１と係合穴２３からなる上記係合構造１７を係合状態にすれば、図１０（ｂ）に示すように半円筒形状の２つの保持片１３、１５が組み合わさり、円筒形状の装着部３となって物干し竿Ｂの外周面を包むようにして保持する装着状態になる。
【００２８】
（２）連結時（図２及び図７参照）
ハンガー吊り具１が装着された物干し竿Ｂに対して、更に別のハンガー吊り具１を装着する場合には、連結構造９を利用して隣り合うハンガー吊り具１を連結した状態で装着する。
上記と同様、２つの自由端辺１３ａ、１５ａを離間させた別のハンガー吊り具１を用意して物干し竿Ｂの上方に位置させる。次に、先に装着したハンガー吊り具１の外フランジ部２５の半径方向の外方に、これから装着する別のハンガー吊り具１の環状凹部２７が位置するように長手方向Ｙの位置を調整する。
【００２９】
以下、そのままの姿勢で物干し竿Ｂに当接するまでハンガー吊り具１を下方に移動させ、係合構造１７を係合状態にすれば、図２に示すように隣り合うハンガー吊り具１が連結された状態で物干し竿Ｂに装着される。
この時の連結構造９は、図７に示すように先に装着したハンガー吊り具１の外フランジ部２５を後から装着したハンガー吊り具１の環状凹部２７が外方から包むようにして作用し、上述した内外の側壁部３１、３３が上記外フランジ部２５の長手方向Ｙへの移動を規制するから、物干し竿Ｂに装着された複数のハンガー吊り具１、１は長手方向Ｙに長い単一のハンガー吊り具１と同様に機能するようになる。
【００３０】
（３）吊下げ時（図１参照）
次に、洗濯をした衣類Ａ等をハンガーＨに掛け、ハンガーＨのフックを物干し竿Ｂに装着したハンガー吊り具１における係止部７の係止穴５に順番に係止して行く。
尚、このようにして吊り下げられた衣類Ａ等に強い風が当たってあおられても、ハンガーＨ同士は係止穴５によって所定の間隔が維持されているから衣類Ａ等が張り付いて乾きむらが生じることもない。
また、複数のハンガー吊り具１、１が連結された状態で物干し竿Ｂに装着されているから、複数のハンガー吊り具が不整に移動したりする虞もなく、多数の衣類等を１箇所にまとめて乾かすことが可能となる。
【００３１】
（４）取外し時（図２及び図７、図１０（ａ）（ｂ）参照）
洗濯した衣類Ａ等が乾いて取り込む場合には、上述した（１）〜（３）と逆の手順で衣類Ａ等を取り込む。
すなわち、最初に衣類Ａ等を取り込んでから係止穴５からハンガーＨを取り外すか、衣類Ａ等をハンガーＨに掛けたままの状態でハンガーＨを係止穴５から取り外す。
次に、最後に装着したハンガー吊り具１から順番に係合構造１７の係合状態を解除してからハンガー吊り具１を上方に引き上げて物干し竿Ｂからハンガー吊り具１を順番に取り外して行く。
【００３２】
尚、上記係合構造１７の係合状態を解除して２つの保持片１３、１５の自由端辺１３ａ、１５ａを離間状態にすることによって連結構造９の連結状態も同時に解除される。
また、途中で雨等が降って来て、急いで衣類Ａ等を取り込まなければならない場合には、衣類Ａ等を掛けたハンガーＨを係止穴５から取り外さないで、ハンガーＨを吊り下げたまま係合構造１７の係合状態を解除して衣類Ａ等とハンガーＨとハンガー吊り具１とをいっしょに物干し竿Ｂから取り外すことも可能である。
この場合、上記保持片の一方または双方に窓部を設けていると、ハンガーを掛けたままの状態でハンガー吊り具を物干し竿から外すときに、窓部が取っ手となるので持ち運ぶのに便利である。
例えば、俄雨等で速やかに取り入れなければならないような場合に窓部を持って屋内に運べば多数の洗濯物を一気に取り入れることができ、また、乾燥した洗濯物を取り入れる場合に、窓部に手を入れてハンガー吊り具を持ってそのまま取り入れると、皺がよるのを防止することができる。
【００３３】
そして、このようにして構成される本考案のハンガー吊り具１によると、物干し竿Ｂに対するハンガー吊り具１の良好な着脱性を損なうことなく、円滑な装着が可能で、多数の衣類等を１箇所にまとまって乾かすことが可能となる。
もちろん、ハンガー吊り具１、１間でのハンガーＨの間隔も一定に保たれているから、風にあおられても隣り合う衣類Ａ等が張り付いたり乾きむらが生じることはなく、多数の洗濯物を効率よく乾燥することができる。
【００３４】
尚、本考案のハンガー吊り具１は、上述した実施の形態のものに限定されず、その考案の要旨内での変更が可能である。
例えば、本考案のハンガー吊り具１は単一の部品によって構成する他、複数の部品で構成することも可能である。図１１では、ヒンジ部１１を一例として軸部によって構成される第１ヒンジ要素３５と、該第１ヒンジ要素３５と係合する一例として軸受部によって構成される第２ヒンジ要素３７との二部材によって構成し、ヒンジ部１１の組立て時に上記第１ヒンジ要素３５と第２ヒンジ要素３７を回動自在に接続することによってヒンジ部１１を構成するようにした実施の形態を図示している。
【００３５】
このような構成のハンガー吊り具１を適用した場合にも、上述した図１〜図１０に示す実施の形態と同様の作用、効果を発揮でき、更に図１１に示す実施の形態の場合には、材料としてＡＢＳ樹脂ないしポリカーボネート等の硬質な合成樹脂を使用することで丈夫なハンガー吊り具１を製造することが可能になる。
【００３６】
また、連結構造９の構成も上述した図１〜図１０に示す実施の形態の構成に限らず、他の構成の連結構造９を採用することが可能である。例えば、図１２に示すように外フランジ部２５の外周面と環状凹部２７の底部２９の内周面に凹凸４１、４３を設けることで連結したハンガー吊り具１の円周方向の回転を規制する回転規制手段３９を適用した構成にすることが可能である。尚、この場合には、凹凸４１、４３の形状や数は任意であり、例えば、凹凸４１、４３を各１個づつ設けることも可能である。
【００３７】
このような構成のハンガー吊り具１を適用した場合にも、上述した図１〜図１０に示す実施の形態と同様の作用、効果を発揮でき、更に本実施の形態の場合には、ハンガー吊り具１が物干し竿Ｂの長手方向Ｙに移動できないだけでなく、物干し竿Ｂの円周方向にも回転できなくなるから、ハンガー吊り具１ごと吊下げ角度が違って吊下げ姿勢にばら付きが生じるのを防止することができる。
【００３８】
この他、係合構造１７の構成も図１〜図１０に示す実施の形態に示す係合フック２１と係合穴２３による構成に限らず、２つの保持片１３、１５の自由端辺１３ａ、１５ａに互い違いに配した係合爪を利用した凹凸係合等、種々の構成の係合構造１７が採用可能である。また、幅広の係合フック２１等を使用すれば係合フック２１と係合穴２３を一組のみ設ける構成とすることも可能である。
【００３９】
また、窓部１９は、一例として他方の保持片１５の基端縁側の中央部を凹陥状にえぐって形成されたものを例示したが、配置、大きさ、数は任意であり、例えば、一方の保持片１３の基端縁側の中央部に凹陥状にえぐられた窓部１９を形成する構成、または一方の保持片１３の基端縁側及び他方の保持片１５の基端縁側の中央部に凹陥状にえぐられた窓部１９を形成する構成とすることも可能であるし、一方の保持片１３または他方の保持片１５の基端縁側ではなく保持片の内部に穿設した窓部１９を形成する構成とすることも可能である。
【００４０】
また、ヒンジ部１１は、一例として上記他方の保持片１５の基端縁側の中央部に形成された窓部１９と上記装着部３の長手方向Ｙの両端部との間に１つずつ設けられたものを例示したが、ヒンジ部１１の配置、数、構造は任意であり、例えばヒンジ部１１を保持片１３、１５の中央部の一箇所とすることも可能である。
【００４１】
また、ハンガーＨを吊り下げる係止穴５の形状、大きさ、数も種々変更可能であり、例えば、係止穴５の形状は長穴形状に代えて、逆三角形状や逆水滴形状等としても良い。また、大きさは同じ大きさのものを並べて配置することも可能であるし、大小異なる大きさのものを交互に並べて配置することも可能である。
【産業上の利用可能性】
【００４２】
本考案のハンガー吊り具は、家庭等において洗濯後の衣類等をハンガーに掛けた状態で物干し竿に吊す場合に使用でき、特に、物干し竿に装着した複数のハンガー吊り具同士を連結して、多数の洗濯物を１箇所にまとまって乾したいような場合に利用可能性を有する。
【符号の説明】
【００４３】
１  ハンガー吊り具
３  装着部
５  係止穴
７  係止部
９  連結構造
１１  ヒンジ部
１３  （一方の）保持片
１３ａ  自由端辺
１５  （他方の）保持片
１５ａ  自由端辺
１７  係合構造
１９  窓部
２１  係合フック
２３  係合穴
２５  外フランジ部
２７  環状凹部
２９  底部
３１  （内方の）側壁部
３３  （外方の）側壁部
３５  第１ヒンジ要素（軸部）
３７  第２ヒンジ要素（軸受部）
３９  回転規制手段
４１  凹凸
４３  凹凸
Ａ  衣類
Ｈ  ハンガー
Ｂ  物干し竿
Ｙ  長手方向
【図１】
0003186512.tif 000003
【図２】
0003186512.tif 000004
【図３】
0003186512.tif 000005
【図４】
0003186512.tif 000006
【図５】
0003186512.tif 000007
【図６】
0003186512.tif 000008
【図７】
0003186512.tif 000009
【図８】
0003186512.tif 000010
【図９】
0003186512.tif 000011
【図１０】
0003186512.tif 000012
【図１１】
0003186512.tif 000013
【図１２】
0003186512.tif 000014